(57)【特許請求の範囲】
【請求項１】
スピーカユニット及び位置決め弾片を備えるスピーカ構造であって、
前記スピーカユニットは、フレーム、エッジ及びダイヤフラムを有し、
前記位置決め弾片は、内枠体、外枠体及び複数の弾性支持部を有し、前記外枠体は、前記スピーカユニットの前記フレーム上に固定され、前記弾性支持部は、前記内枠体と前記外枠体との間に設けられ、前記内枠体は、前記スピーカユニットの前記ダイヤフラム上に固定され、
前記弾性支持部と前記内枠体との接続箇所には、互いに段差状に設けられた前記内枠体と前記外枠体とを上下で接続させるための折り曲げ部が設けられていることを特徴とするスピーカ構造。
【請求項２】
前記フレームの周縁には、前記外枠体を嵌設させる凹溝が設けられていることを特徴とする請求項１に記載のスピーカ構造。
【請求項３】
前記弾性支持部は、前記内枠体と前記外枠体との間に屈曲形状に設けられていることを特徴とする請求項１に記載のスピーカ構造。
【請求項４】
前記内枠体は平面状プレートであることを特徴とする請求項１に記載のスピーカ構造。
【発明の詳細な説明】
【技術分野】
【０００１】
本発明は、スピーカ構造に関し、特に、スピーカユニットの音出力面に固定された位置決め弾片により、ダイヤフラムを有効に押さえ、バランス良く振動させるスピーカ構造に関する。
【背景技術】
【０００２】
従来のスピーカ構造は、電子信号を音声信号に変換させる電子装置である。主に、ボイスコイルが通電され、磁石との間に排斥力を発生させ、ピストンに似た作用により、磁石前方に設けられたダイヤフラムを押し、ダイヤフラム前方の音波を周囲に放射させる。
【０００３】
また、構造内では円形のダンパーを使用し、ボイスコイルを固定する。しかし、ダンパーが磁石とダイヤフラムとの間に配置されているため、スピーカを小型化させることができず、体積上の制限から、軽量かつ薄型の電子製品に応用することができない。
【０００４】
現在、高機能の電子製品（例えば、薄型テレビ、ノート型パソコン、タブレットコンピュータ、ＰＤＡ、ＭＰ３プレイヤー、携帯電話など）は、本体を軽量化・薄型化したり容易に携帯したりできるように、全体のサイズが非常に小さくなっているため、スピーカを収納する空間が限られている。
そのため、タブレット型スピーカが開発されたが、このタブレット型スピーカは、軽量化・薄型化を達成するために、タブレットスピーカ内部のダンパー構造が省略されたものがある。
【０００５】
このようなスピーカは、小パワーで出力するとき、ダイヤフラムの振動幅が小さいため、歪み現象は起きにくいが、大パワーで出力するとき、ダイヤフラムの振動幅が大きくなる。そのため、ダイヤフラムがアンバランスに振動したり揺れたりし、音声出力が非常に不安定になる虞がある。このため、従来のタブレットスピーカは、低パワーでの出力のみしか行えず、高パワーでの出力には限界がある。
【０００６】
そのため、従来のダンパー構造に代わる構造又はスピーカが高パワーの駆動により振動する際、有効にダイヤフラムを位置決めし、バランスよく振動させることにより、音声出力を安定させることができるスピーカ構造が求められていた。
【発明の概要】
【発明が解決しようとする課題】
【０００７】
本発明の第１の目的は、スピーカユニットの音出力面に固定された位置決め弾片により、ダイヤフラムを位置決めし、バランス良く振動させることで、スピーカを高パワーで使用しても、ダイヤフラムがアンバランスに振動し、周波数が不安定になることを有効に防ぐことができるスピーカ構造を提供することにある。
【０００８】
本発明の第２の目的は、スピーカを薄型化するとともに、大パワーを出力する機能を有するため、様々な製品に応用することができるスピーカ構造を提供することにある。
【０００９】
本発明の第３の目的は、位置決め弾片構造が様々な種類のスピーカユニットに適用することができ、位置決め弾片の弾性支持部の形式、個数、折り曲げ角度などを調整することにより、スピーカの出力を効果的に高めることができるスピーカ構造を提供することにある
【課題を解決するための手段】
【００１０】
上記課題を解決するために、スピーカユニットの音出力面には、位置決め弾片が接続されていることを特徴とするスピーカ構造が提供される。
【００１１】
上記課題を解決するために、スピーカユニット及び位置決め弾片を備えるスピーカ構造であって、前記スピーカユニットは、フレーム、エッジ及びダイヤフラムを有し、前記位置決め弾片は、内枠体、外枠体及び複数の弾性支持部を有し、前記外枠体は、前記スピーカユニットの前記フレーム上に固定され、前記弾性支持部は、前記内枠体と前記外枠体との間に設けられ、前記内枠体は、前記スピーカユニットの前記ダイヤフラム上に固定されることを特徴とするスピーカ構造が提供される。
【００１２】
前記フレームの周縁には、前記外枠体を嵌設させる凹溝が設けられていることが好ましい。
【００１３】
前記弾性支持部と前記内枠体との接続箇所には、互いに段差状に設けられた前記内枠体と前記外枠体とを上下で接続させるための折り曲げ部が設けられていることが好ましい。
【００１４】
前記弾性支持部は、前記内枠体と前記外枠体との間に屈曲形状に設けられていることが好ましい。
【００１５】
前記内枠体は平面状プレートであることが好ましい。
【００１６】
上記課題を解決するために、スピーカユニット及び位置決め弾片を備えるスピーカ構造であって、前記スピーカユニットは、フレーム、エッジ及びダイヤフラムを有し、前記位置決め弾片は、外枠体及び複数の弾性支持部を有し、前記外枠体は、前記スピーカユニットの前記フレーム上に固定され、前記弾性支持部は、一方の端部が前記外枠体に接続され、他方の端部が前記ダイヤフラム上に固定されることを特徴とするスピーカ構造が提供される。
【００１７】
前記弾性支持部は、前記外枠体に接続された一方の端部と、前記ダイヤフラム上に固定される当接部が設けられた他方の端部と、を有することが好ましい。
【００１８】
前記フレームの周縁には、前記外枠体を嵌設させる凹溝が設けられていることが好ましい。
【００１９】
前記弾性支持部には、互いに段差状に設けられた前記内枠体と前記外枠体とを上下で接続させるための折り曲げ部が設けられていることが好ましい。
【００２０】
前記弾性支持部は屈曲形状であることが好ましい。
【００２１】
上記課題を解決するために、スピーカユニット及び複数の位置決め弾片を備えるスピーカ構造であって、前記スピーカユニットは、フレーム、エッジ及びダイヤフラムを有し、前記位置決め弾片は、複数の外枠体から延伸された複数の弾性支持部を有し、前記外枠体は、前記スピーカユニットの前記フレーム上に固定され、前記弾性支持部の他方の端部には、前記ダイヤフラム上に固定される当接部が設けられていることを特徴とするスピーカ構造が提供される。
【００２２】
前記フレームの周縁には、前記外枠体を嵌設させる凹溝が設けられていることが好ましい。
【００２３】
前記弾性支持部には、互いに段差状に設けられた内枠体と前記外枠体とを上下で接続させるための折り曲げ部が設けられていることが好ましい。
【００２４】
前記弾性支持部は屈曲形状であることが好ましい。
【００２５】
上記課題を解決するために、スピーカユニット及び位置決め弾片を備えるスピーカ構造であって、前記スピーカユニットは、フレーム、エッジ、ダイヤフラム、ボイスコイル及び防塵カバーを有し、前記位置決め弾片は、内枠体、外枠体及び複数の弾性支持部を有し、前記外枠体は、前記スピーカユニットの前記フレーム上に固定され、前記弾性支持部は、前記内枠体と前記外枠体との間に設けられ、前記内枠体は、前記スピーカユニットの前記防塵カバー上に固定されることを特徴とするスピーカ構造が提供される。
【００２６】
前記内枠体は、前記スピーカユニットの前記ボイスコイルと前記防塵カバーとの間に配置されることが好ましい。
【００２７】
前記フレームの周縁には、前記外枠体を嵌設させる凹溝が設けられていることが好ましい。
【００２８】
前記弾性支持部と前記内枠体との接続箇所には、互いに段差状に設けられた前記内枠体と前記外枠体とを上下で接続させるための折り曲げ部が設けられていることが好ましい。
【００２９】
前記弾性支持部は、前記内枠体と前記外枠体との間に屈曲形状に設けられていることが好ましい。
【００３０】
前記内枠体は平面状プレートであることが好ましい。
【００３１】
上記課題を解決するために、スピーカユニット及び位置決め弾片を備えるスピーカ構造であって、前記スピーカユニットは、フレーム、エッジ、ダイヤフラム、ボイスコイル及び防塵カバーを有し、前記位置決め弾片は、外枠体及び複数の弾性支持部を有し、前記外枠体は、前記スピーカユニットの前記フレーム上に固定され、前記弾性支持部は、一方の端部が前記外枠体に接続され、他方の端部が前記防塵カバー上に固定されることを特徴とするスピーカ構造が提供される。
【００３２】
前記弾性支持部は、前記外枠体に接続された一方の端部と、前記防塵カバー上に固定される当接部が設けられた他方の端部と、を有することが好ましい。
【００３３】
前記フレームの周縁には、前記外枠体を嵌設させる凹溝が設けられていることが好ましい。
【００３４】
前記弾性支持部には、互いに段差状に設けられた前記内枠体と前記外枠体とを上下で接続させるための折り曲げ部が設けられていることが好ましい。
【００３５】
前記弾性支持部は屈曲形状であることが好ましい。
【発明の効果】
【００３６】
本発明のスピーカ構造は、以下（１）〜（３）の効果を有する。
（１）スピーカユニットの音出力面に固定された位置決め弾片により、ダイヤフラムを位置決めし、バランス良く振動させることで、スピーカを高パワーで使用しても、ダイヤフラムがアンバランスに振動し、周波数が不安定になることを有効に防ぐことができる。
（２）スピーカを軽量化するとともに、大パワーを出力する機能を有するため、様々な製品に応用することができる。
（３）位置決め弾片構造が様々な種類のスピーカユニット上に適用することができ、位置決め弾片の弾性支持部の形式、個数、折り曲げ角度などを調整することにより、スピーカの出力を効果的に高めることができる。
【図面の簡単な説明】
【００３７】
【図１Ａ】本発明の第１実施形態によるスピーカ構造を示す分解斜視図である。
【図１Ｂ】本発明の第１実施形態によるスピーカ構造を示す斜視図である。
【図２Ａ】本発明の第２実施形態によるスピーカ構造を示す分解斜視図である。
【図２Ｂ】本発明の第２実施形態によるスピーカ構造を示す斜視図である。
【図３Ａ】本発明の第３実施形態によるスピーカ構造を示す分解斜視図である。
【図３Ｂ】本発明の第３実施形態によるスピーカ構造を示す斜視図である。
【図４Ａ】本発明の第４実施形態によるスピーカ構造を示す分解斜視図である。
【図４Ｂ】本発明の第４実施形態によるスピーカ構造を示す斜視図である。
【図５Ａ】本発明の第５実施形態によるスピーカ構造を示す斜視図である。
【図５Ｂ】本発明の第６実施形態によるスピーカ構造を示す斜視図である。
【図５Ｃ】本発明の第７実施形態によるスピーカ構造を示す斜視図である。
【図６Ａ】本発明の第８実施形態によるスピーカ構造を示す分解斜視図である。
【図６Ｂ】本発明の第８実施形態によるスピーカ構造を示す斜視図である。
【図７Ａ】本発明の第９実施形態によるスピーカ構造を示す斜視図である。
【図７Ｂ】本発明の第１０実施形態によるスピーカ構造を示す斜視図である。
【図７Ｃ】本発明の第１１実施形態によるスピーカ構造を示す斜視図である。
【発明を実施するための形態】
【００３８】
以下、本発明の実施形態について図に基づいて説明する。なお、これによって本発明が限定されるものではない。
【実施例１】
【００３９】
図１Ａ及び図１Ｂを参照する。図１Ａ及び図１Ｂに示すように、本発明の第１実施形態によるスピーカ構造１は、少なくとも長形スピーカユニット１１及び位置決め弾片１２から構成される。
【００４０】
長形スピーカユニット１１は、フレーム１１１、エッジ１１２及びダイヤフラム１１３を有する。フレーム１１１の周縁には、凹溝１１１１が設けられている。
【００４１】
位置決め弾片１２は、内枠体１２１、外枠体１２２及び４つの弾性支持部１２３を有する。
外枠体１２２は、長形スピーカユニット１１の凹溝１１１１に固定される。
弾性支持部１２３は、内枠体１２１と外枠体１２２とを接続するように設けられている。
内枠体１２１は、長形スピーカユニット１１のダイヤフラム１１３上に固定される。
弾性支持部１２３と内枠体１２１との接続箇所には、折り曲げ部１２３１が設けられている。
内枠体１２１及び外枠体１２２のそれぞれの固定箇所に段差があるため（第１実施形態では、内枠体が外枠体より低く設けられている）、折り曲げ部１２３１により、内枠体１２１と外枠体１２２とが上下に接続される。
また逆に、内枠体が外枠体より高く設けられているとき、折り曲げ部は逆側に屈曲形状に形成される。
【００４２】
第１実施形態のスピーカ構造１の位置決め弾片１２は、長形スピーカユニット１１の音出力面に固定され、位置決め弾片１２の外枠体１２２に設けられた４つの接続点１２２１と、ダイヤフラム１１３の平面上に固定された内枠体１２１とにより、均衡が取れた状態で位置決めされる。
長形スピーカユニット１１が作動し、ダイヤフラム１１３が同期で振動する際、位置決め弾片１２の弾性機能により、ダイヤフラム１１３を有効に押さえ、バランス良く振動させることができる。
同様に、スピーカ構造１が高パワーで駆動されると、ダイヤフラム１１３がアンバランスに振動し、出力される周波数が不安定になることを有効に防ぐことができる。
【実施例２】
【００４３】
図２Ａ及び図２Ｂを参照する。図２Ａ及び図２Ｂに示すように、本発明の第２実施形態によるスピーカ構造は、長形スピーカユニット２１に合わせて使用する位置決め弾片２２の構造部分が第１実施形態と異なる。
位置決め弾片２２は、外枠体２２２及び２つの弾性支持部２２３を有する。弾性支持部２２３は、折り曲げられた箇所に当接部２２３２が形成され、外枠体２２２の側部に両端が接続されている。そのため、２つの弾性支持部２２３は、屈曲形状に互いに対向するように当接部２２３２が形成されている。
【００４４】
当接部２２３２は、ダイヤフラム２１３上に固定され、外枠体２２２上の４つの接続点２２２１とともに、均衡が取れた状態で位置決めされている。
長形スピーカユニット２１が作動し、ダイヤフラム２１３が同期で振動すると、位置決め弾片２２の弾性機能によりダイヤフラム２１３が有効に押さえられるため、バランス良く振動させることができる。
【実施例３】
【００４５】
図３Ａ及び図３Ｂを参照する。図３Ａ及び図３Ｂに示すように、本発明の第３実施形態によるスピーカ構造は、長形スピーカユニット３１に合わせて使用する位置決め弾片３２の構造が第１実施形態と異なる点である。
位置決め弾片３２は、外枠体３２２及び４つの弾性支持部３２３を有する。
４つの弾性支持部３２３は、一方の端部が外枠体３２２に接続され、他方の端部３２３１がダイヤフラム３１３上に固定され、外枠体３２２の４つの接続点３２２１とともに、均衡が取れた状態で位置決めされている。
長形スピーカユニット３１が作動し、ダイヤフラム３１３が同期で振動する際、位置決め弾片３２の弾性機能により、ダイヤフラム３１３を有効に押さえ、バランス良く振動させることができる。
【実施例４】
【００４６】
図４Ａ及び図４Ｂを参照する。図４Ａ及び図４Ｂに示すように、本発明の第４実施形態によるスピーカ構造は、長形スピーカユニット４１に合わせて使用する位置決め弾片４２の構造が第１実施形態と異なる。
第４実施形態は、２つの位置決め弾片４２を有する。
この位置決め弾片４２は、外枠体４２２と、外枠体４２２に延設された２つの弾性支持部４２３とを有する。
弾性支持部４２３の他方の端部には、当接部４２３２が形成され閉鎖状に構成されている。２つの弾性支持部４２３の当接部４２３２は、互いに対応するようにそれぞれ屈曲形状に形成されている。
当接部４２３２は、ダイヤフラム４１３上に固定され、外枠体４２２上の４つの接続部４２２１とともに、均衡が取れた状態で位置決めされている。
【００４７】
長形スピーカユニット４１が作動し、ダイヤフラム４１３が同期で振動すると、位置決め弾片４２の弾性機能により、ダイヤフラム４１３を有効に押さえ、バランス良く振動させる。
【００４８】
上述の第２実施形態〜第４実施形態の弾性支持部には、第１実施形態と同様に、折り曲げ部が設けられてもよい。そのため、内枠体と外枠体とは、固定箇所に段差がある場合でも、この折り曲げ部により接続することができる。
【実施例５】
【００４９】
図５Ａを参照する。図５Ａに示すように、本発明の第５実施形態によるスピーカ構造は、長形スピーカユニットではなく、円形スピーカユニット５１であり、使用される位置決め弾片５２の形状も円形スピーカユニット５１に合わせて変えられている点が第１実施形態と異なるが、構造原理に関しては、第１実施形態と略同じである。図５Ａの位置決め弾片５２は、内枠体５２１、外枠体５２２及び４つの弾性支持部５２３を有する。
【００５０】
外枠体５２２は、円形スピーカユニット５１の凹溝５１１１内に固定されている。弾性支持部５２３は、適宜屈曲形状に形成され、内枠体５２１と外枠体５２２とに接続されている。
内枠体５２１は、円形スピーカユニット５１のダイヤフラム５１３上に固定されている。弾性支持部５２３と内枠体５２１との接続箇所には、折り曲げ部５２３１が設けられている。
この折り曲げ部５２３１を利用することにより、内枠体５２１と外枠体５２２とが段差状に設けられているときでも（第５実施形態では、内枠体は外枠体より低く設けられている）、内枠体と外枠体とを接続させることができる。これとは逆に、内枠体が外枠体より高く設けられる場合、折り曲げ部は逆に屈曲形状に設ける。
【００５１】
第５実施形態のスピーカ構造５の位置決め弾片５２は、円形スピーカユニット５１の音出力面に固定され、位置決め弾片５２の外枠体５２２上の４つの接続点５２２１と、ダイヤフラム５１３の平面上に固定された内枠体５２１とにより、均衡が取れた状態で位置決めされている。
円形スピーカユニット５１が作動し、ダイヤフラム５１３が同期で振動する際、位置決め弾片５２の弾性機能により、ダイヤフラム５１３を有効に押さえ、バランス良く振動させる。これにより、スピーカ構造５が高パワーで駆動するとき、ダイヤフラム５１３の振動がアンバランスとなり、出力される周波数が不安定になることを有効に防ぐことができる。
【実施例６】
【００５２】
図５Ｂを参照する。図５Ｂに示すように、本発明の第６実施形態によるスピーカ構造は、円形スピーカユニット５１に合わせて使用する位置決め弾片５２の構造が第５実施形態と異なる。
位置決め弾片５２は、内枠体５２１、外枠体５２２及び３つの弾性支持部５２３を有する。位置決め弾片５２は、円形スピーカユニット５１の音出力面に固定され、位置決め弾片５２の外枠体５２２上の３つの接続点５２２１と、ダイヤフラム５１３の平面上に固定された内枠体５２１とにより、均衡が取れた状態で位置決めされている。
そのため、円形スピーカユニット５１が作動し、ダイヤフラム５１３が同期で振動する際、位置決め弾片５２の弾性機能により、ダイヤフラム５１３を有効に押さえ、バランス良く振動させることができる。
【実施例７】
【００５３】
図５Ｃを参照する。図５Ｃに示すように、本発明の第７実施形態によるスピーカ構造は、円形スピーカユニット５１に合わせて使用する位置決め弾片５２の構造が第５実施形態と異なる。
位置決め弾片５２は、内枠体５２１、外枠体５２２及び２つの弾性支持部５２３を有する。位置決め弾片５２は、円形スピーカユニット５１の音出力面に固定され、位置決め弾片５２の外枠体５２２上の２つの接続点５２２１と、ダイヤフラム５１３の平面上に固定される内枠体５２１とにより、均衡が取れた状態で位置決めされている。
そのため、円形スピーカユニット５１が作動し、ダイヤフラム５１３が同期で振動する際、位置決め弾片５２の弾性機能により、ダイヤフラム５１３を有効に押さえ、バランス良く振動させることができる。
【実施例８】
【００５４】
図６Ａ及び図６Ｂを参照する。図６Ａ及び図６Ｂに示すように、本発明の第８実施形態によるスピーカ構造６は、円形スピーカユニット６１及び位置決め弾片６２を有する。
【００５５】
円形スピーカユニット６１は、少なくともフレーム６１１、エッジ６１２、ダイヤフラム６１３、防塵カバー６１４及びボイスコイル６１５から構成されている。フレーム６１１の周縁には、凹溝６１１１が設けられている。
【００５６】
位置決め弾片６２は、内枠体６２１、外枠体６２２及び４つの弾性支持部６２３を有する。外枠体６２２は、円形スピーカユニット６１の凹溝６１１１内に固定されている。
弾性支持部６２３は、適宜屈曲形状に形成され、内枠体６２１と外枠体６２２とにそれぞれ接続されている。内枠体６２１は、円形スピーカユニット６１の防塵カバー６１４の周縁に固定されている。
弾性支持部６２３と内枠体６２１との接続箇所には、折り曲げ部６２３１が設けられている。内枠体６２１及び外枠体６２２のそれぞれの固定箇所に段差があるときでも（第８実施形態では、内枠体は外枠体より低く設けられている）折り曲げ部６２３１により、内枠体６２１と外枠体６２２とを上下で接続させることができる。
逆に、内枠体が外枠体より高く設けられる場合、折り曲げ部は逆側に屈曲形状に設けられる。
【００５７】
第８実施形態のスピーカ構造６の位置決め弾片６２は、円形スピーカユニット６１の音出力面に固定され、位置決め弾片６２の外枠体６２２上の４つの接続点６２２１と、防塵カバー６１４上に固定された内枠体６２１とにより、均衡が取れた状態で位置決めされている。
円形スピーカユニット６１が作動し、ダイヤフラム６１３及び防塵カバー６１４が同期で振動する際、位置決め弾片６２の弾性機能により、ダイヤフラム６１３及び防塵カバー６１４を有効に押さえ、バランス良く振動させる。
そのため、スピーカ構造６が高パワーで駆動されても、ダイヤフラム６１３及び防塵カバー６１４の振動がアンバランスになり、出力周波数が不安定になることを有効に防ぐことができる。
【実施例９】
【００５８】
図７Ａを参照する。図７Ａに示すように、本発明の第９実施形態によるスピーカ構造は、スピーカ構造７上で３つの弾性支持部７２３のみを使用する点が第８実施形態と異なる。
弾性支持部７２３は、適宜屈曲形状に形成され、内枠体と外枠体７２２とに接続されている。内枠体（図示せず）は、円形スピーカユニット７１のボイスコイル７１５と防塵カバー７１４との間に固定され、位置決め弾片７２の外枠体７２２上の３つの接続点７２２１と、ボイスコイル７１５と防塵カバー７１４との間に配置された内枠体（図示せず）とにより、均衡が取れた状態で位置決めされている。
そのため、円形スピーカユニット７１が作動し、ダイヤフラム７１３が同期で振動する際、位置決め弾片７２の弾性機能により、ダイヤフラム７１３を有効に押さえ、バランス良く振動させることができる。
【実施例１０】
【００５９】
図７Ｂを参照する。図７Ｂに示すように、本発明の第１０実施形態によるスピーカ構造は、円形スピーカユニット７１に合わせて使用する位置決め弾片７２の構造が第８実施形態と異なる。位置決め弾片７２は、外枠体７２２及び２つの弾性支持部７２３を有する。
弾性支持部７２３は、屈曲形状の当接部７２３２に形成され、外枠体７２２の側部に両端部が接続されている。そのため、２つの弾性支持部７２３は、互いに対向するようにそれぞれ屈曲形状に形成された当接部７２３２を有する。当接部７２３２は、防塵カバー７１４上に固定され、外枠体７２２上の４つの接続点７２２１とともに、均衡が取れた状態で位置決めされている。
【００６０】
そのため、円形スピーカユニット７１が作動し、ダイヤフラム７１３が同期で振動すると、位置決め弾片７２の弾性機能により、ダイヤフラム７１３を有効に押さえ、バランス良く振動させることができる。
【実施例１１】
【００６１】
図７Ｃを参照する。図７Ｃに示すように、本発明の第１１実施形態によるスピーカ構造７は、円形スピーカユニット７１に合わせて使用する位置決め弾片７２の構造が第１実施形態及び第３実施形態と異なる。
位置決め弾片７２は、外枠体７２２及び４つの弾性支持部７２３を有する。４つの弾性支持部７２３は、一方の端部が屈曲形状に形成されて外枠体７２２に接続され、他方の端部７２３１が防塵カバー７１４に固定され、外枠体７２２の４つの接続点７２２１とともに、均衡が取れた状態で位置決めされている。
【００６２】
そのため、円形スピーカユニット７１が作動し、ダイヤフラム７１３が同期で振動すると、位置決め弾片７２の弾性機能により、ダイヤフラム７１３を有効に押さえ、バランス良く振動させることができる。
【００６３】
図７Ａ〜図７Ｃに示す第９実施形態〜第１１実施形態の弾性支持部には、図６Ａ及び図６Ｂ（第８実施形態）と同様に、内枠体と外枠体とが段差状になっている場合でも、内枠体と外枠体とを接続させることができるように、折り曲げ部７２３が設けられてもよい。
【００６４】
上述したことから分かるように、本発明のスピーカ構造は、以下（１）〜（３）の長所を有する。
（１）スピーカユニットの音出力面に固定された位置決め弾片により、ダイヤフラムを位置決めし、バランス良く振動させることで、スピーカを高パワーで使用しても、ダイヤフラムがアンバランスに振動し、周波数が不安定になることを有効に防ぐことができる。
（２）スピーカを薄型化するとともに、大パワーを出力する機能を有するため、様々な製品に応用することができる。
（３）位置決め弾片構造が様々な種類のスピーカユニットに適用することができ、位置決め弾片の弾性支持部の形式、個数、折り曲げ角度などを調整することにより、スピーカの出力を効果的に高めることができる。
【００６５】
当該分野の技術を熟知するものが理解できるように、本発明の好適な実施形態を前述の通り開示したが、これらは決して本発明を限定するものではない。
本発明の主旨と領域を逸脱しない範囲内で各種の変更や修正を加えることができる。従って、本発明の特許請求の範囲は、このような変更や修正を含めて広く解釈されるべきである。
【符号の説明】
【００６６】
１        スピーカ構造
５        スピーカ構造
６        スピーカ構造
７        スピーカ構造
１１      長形スピーカユニット
１２      位置決め弾片
２１      長形スピーカユニット
２２      位置決め弾片
３１      長形スピーカユニット
３２      位置決め弾片
４１      長形スピーカユニット
４２      位置決め弾片
５１      円形スピーカユニット
５２      位置決め弾片
６１      円形スピーカユニット
６２      位置決め弾片
７１      円形スピーカユニット
７２      位置決め弾片
１１１    フレーム
１１２    エッジ
１１３    ダイヤフラム
１２１    内枠体
１２２    外枠体
１２３    弾性支持部
２１３    ダイヤフラム
２２２    外枠体
２２３    弾性支持部
３１３    ダイヤフラム
３２２    外枠体
３２３    弾性支持部
４１３    ダイヤフラム
４２２    外枠体
４２３    弾性支持部
５１３    ダイヤフラム
５２１    内枠体
５２２    外枠体
５２３    弾性支持部
６１１    フレーム
６１２    エッジ
６１３    ダイヤフラム
６１４    防塵カバー
６１５    ボイスコイル
６２１    内枠体
６２２    外枠体
６２３    弾性支持部
７１３    ダイヤフラム
７１４    防塵カバー
７１５    ボイスコイル
７２２    外枠体
７２３    弾性支持部
１１１１  凹溝
１２２１  接続点
１２３１  折り曲げ部
２２２１  接続点
２２３２  当接部
３２２１  接続点
３２３１  端部
４２２１  接続点
４２３２  当接部
５１１１  凹溝
５２２１  接続点
５２３１  折り曲げ部
６１１１  凹溝
６２２１  接続点
６２３１  折り曲げ部
７２２１  接続点
７２３１  端部
７２３２  当接部
【図１Ａ】
0005237412.tif 000002
【図１Ｂ】
0005237412.tif 000003
【図２Ａ】
0005237412.tif 000004
【図２Ｂ】
0005237412.tif 000005
【図３Ａ】
0005237412.tif 000006
【図３Ｂ】
0005237412.tif 000007
【図４Ａ】
0005237412.tif 000008
【図４Ｂ】
0005237412.tif 000009
【図５Ａ】
0005237412.tif 000010
【図５Ｂ】
0005237412.tif 000011
【図５Ｃ】
0005237412.tif 000012
【図６Ａ】
0005237412.tif 000013
【図６Ｂ】
0005237412.tif 000014
【図７Ａ】
0005237412.tif 000015
【図７Ｂ】
0005237412.tif 000016
【図７Ｃ】
0005237412.tif 000017